(57)【要約】【課題】住宅や建物施設の庭園、ウッドデッキ面、屋上及びベランダ等に立設される照明器具について、新規な技術を提案する。【解決手段】地面等に立設される照明器具１であって、柱状体２と、柱状体２の内部に配置される光源（ＬＥＤ光源６６）と、柱状体２内部の光源からの光を導く出口２７と、柱状体内部の光源から照射される光を減衰させる光減衰部（内壁面３８）と、を備える照明器具１とする。出口２７から照射される光Ａは減衰された光であるため、暗闇において光Ａが照射されたとしても、直接光（反射せずに照射される光）と比較して眩しく感じられることを抑制できる。【選択図】図２
2014135127.tif 000002
【特許請求の範囲】
【請求項１】
柱状体と、
前記柱状体の内部に配置される光源と、
前記柱状体内部の光源からの光を導く出口と、
前記柱状体内部の光源から照射される光を減衰させる光減衰部と、
を備えることを特徴とする照明器具。
【請求項２】
前記光減衰部が柱状体内壁面である、
ことを特徴とする請求項１に記載の照明器具。
【請求項３】
前記光減衰部は、前記出口に導かれる光を反射させて柱状体の外壁面に対して照射する、
ことを特徴とする請求項１に照明器具。
【請求項４】
前記出口には光が通過可能なカバー部が設けられ、
前記柱状体の一部が前記カバー部よりも突出した位置に設けられる、
ことを特徴とする、請求項３に記載の照明器具。
【発明の詳細な説明】
【技術分野】
【０００１】
本発明は、住宅や建物施設の庭園、ウッドデッキ面、屋上及びベランダ等に立設される照明器具に関するものである。
【背景技術】
【０００２】
従来、例えば特許文献１に開示されるように、住宅や建物施設の庭園、ウッドデッキ面、屋上及びベランダ等に立設されるポールに関する技術は知られている。
【０００３】
この種のポールにおいては、照明の機能を具備することで夜間のライトアップが行えるような構成となっており、特許文献１に開示される構成においても、ポールの上端部に照明ランプを備えるとともに、この照明ランプを透明性材料からなる照明グローブで覆う構成とし、照明ランプからの光（明かり）を照明グローブを透過させて周囲に照射することとしている。
【先行技術文献】
【特許文献】
【０００４】
【特許文献１】特開２００２−３１７５７２号公報
【発明の概要】
【発明が解決しようとする課題】
【０００５】
しかしながら、特許文献１に開示されるような従来の構成では、照明ランプの光が全周囲に向かって照射されるものとなっているため、どの角度から見ても同様の光が一点から照射されてしまい、暗闇の中で視線が集中してどの角度からみても眩しく感じられてしまうことが懸念される。
【０００６】
さらに、照明ランプの光が全周囲に向かって照射されてしまうと、光を照らしたくない方向や、光（明かり）が不要な方向まで照らしてしまうという問題が生じることになる。
【０００７】
そこで、本発明は以上の構成に鑑み、住宅や建物施設の庭園、ウッドデッキ面、屋上及びベランダ等に立設される照明器具について、新規な技術を提案するものである。
【課題を解決するための手段】
【０００８】
本発明の解決しようとする課題は以上の如くであり、次にこの課題を解決するための手段を説明する。
【０００９】
即ち、請求項１に記載のごとく、
柱状体と、
柱状体の内部に配置される光源と、
柱状体内部の光源からの光を導く出口と、
柱状体内部の光源から照射される光を減衰させる光減衰部と、
を備えることを特徴とする照明器具とする。
【００１０】
また、請求項２に記載のごとく、
光減衰部が柱状体内壁面である、こととする。
【００１１】
また、請求項３に記載のごとく、
光減衰部は、出口に導かれる光を反射させて柱状体の外壁面に対して照射する、こととする。
【００１２】
また、請求項４に記載のごとく、
出口には光が通過可能なカバー部が設けられ、
柱状体の一部がカバー部よりも突出した位置に設けられる、こととする。
【発明の効果】
【００１３】
本発明の効果として、以下に示すような効果を奏する。
【００１４】
即ち、請求項１に記載の発明においては、出口から照射される光は減衰した光であるため、暗闇において光が照射されたとしても、直接光と比較して眩しく感じられることを抑制できる。
【００１５】
また、請求項２に記載の発明においては、減衰部を内壁面で構成したため、部品点数を削減することができる。
【００１６】
また、請求項３に記載の発明においては、光源の光で外壁面を照らすことで間接照明となるため、光を減衰させつつ、照明器具を浮かびあがらせるような幻想的な光を醸し出すことができる。
【００１７】
また、請求項４に記載の発明においては、光通過可能なカバー部があるため、外部からの雨水進入を防止できるとともに、カバー部出口の奥まった位置に配置されるため、カバー部は柱状体の一部によって隠されることとなって、デザイン性に優れた外観を構成することができる。
【図面の簡単な説明】
【００１８】
【図１】（Ａ）はポール型の照明器具を設置した昼間の状況を示す図。（Ｂ）はポール型の照明器具を設置した夜間の状況を示す図。
【図２】照明器具から照射される光の様子について示す斜視図。
【図３】照明器具の正面、右側面、背面、左側面についてそれぞれ示す図。
【図４】図３におけるＡ−Ａ線断面図。
【発明を実施するための形態】
【００１９】
以下、本発明の実施形態を図面に基づいて説明する。
図１（Ａ）（Ｂ）は、本発明の一実施形態であるポール型の照明器具１を住宅の庭やアプローチに配置する例について示す図である。
【００２０】
図１（Ｂ）に示すごとく、照明器具１（図１（Ａ）参照）からは、その上端部から下端部から明かりが照射され、ポールの足回り周辺付近が照らされることで足元の視認性が確保される。
【００２１】
また、照明器具１から照射される光は、一点から全周囲に向かって照射されるものではなく、特定の方向に向けて光る縦の光のラインを形成するため、暗闇の中で視線が集中せずに、眩しく感じられることを防止できる。
【００２２】
また、光を照らしたくない方向や、光（明かり）が不要な方向まで照らしてしまうことがないため、縦の光のラインを演出することができ、デザイン性に優れたライトアップを実現できる。
【００２３】
図２は、照明器具１から照射される光の様子について示す斜視図である。照明器具１は全体としてポール型に構成され、縦方向に形成される開口部１１より光（明かり）が外方に向けて照射されるようになっている。
【００２４】
開口部１１は、照明器具１の上端部から下端部に向けて形成されており、地面４から立設された状態において、照明器具１の略全高の範囲で縦の光のラインが形成される。
【００２５】
開口部１１から照射される光によって、照明器具１の外壁面２１が照らされ、外壁面２１から反射する光によって間接光が生じるようになっている。
【００２６】
また、本実施形態では、外壁面２１が曲面で構成されているため、外壁面２１においては開口部１１に近い側から遠い側に向かうにつれて明るさが徐々に暗くなるグラデーションの効果が得られることになり、外壁面２１を印象的にライトアップできるようになっている。
【００２７】
図３は、照明器具１の正面、右側面、背面、左側面についてそれぞれ示す図である。
本実施形態の照明器具１は柱状体２として構成されるものであり、柱状体２は、本体部材２０と、本体部材２０とともに連続した外周面を形成するように設けられるケース部材３０と、本体部材２０及びケース部材３０の上端部に設置される上部蓋部材４０と、を有して構成されている。
【００２８】
本体部材２０の外壁面２１、及び、ケース部材３０の外壁面３１は、それぞれ曲面をなすように構成されており、また、上部蓋部材４０は図２にも示されるように円盤状に構成されるため、全体として円柱形状の外観が構成されるようになっている。
【００２９】
なお、本実施形態のように、外観として円柱状のポール型として構成するほか、例えば、三角柱、四角柱、六角柱などの角柱型や、楕円断面を構成する円柱型とすることも考えられる。また、例えば、上部が角柱型で、下部が円柱型とする、或いは、その逆とするなど、組み合わせて構成されることとしてもよい。さらに、例えば、円柱型の外観を構成するためのケースを角柱型の外周に設ける、或いは、その逆とするなど、他の部材を同時に用いることで外観の意匠を構成することとしてもよい。
【００３０】
本体部材２０の下端部は、地中に埋め込まれる埋設部位２９として構成されており、この埋設部位２９よりも上方の部位が地上に現れる地上部位２８として構成されている。
【００３１】
そして、この地上部位２８に対応する高さ寸法と同等となるように、ケース部材３０の高さ寸法が設定されており、ケース部材３０は地中に深く埋設されずに、地表面から立設するようになっている。なお、ケース部材３０についても、地中に埋め込まれる構成としてもよい。また、地面としては、土のほか、コンクリートや砂利などである場合も考えられる。
【００３２】
図４は、図３におけるＡ−Ａ線断面図である。図４には、柱状の本体部材２０と、本体部材２０とともに連続した外周面を形成するように設けられるケース部材３０の断面などが示されている。
【００３３】
本体部材２０は、アルミ押出成形品にて構成される長尺の部材であり、本実施形態では、断面視において円弧状の外壁面２１を構成する壁面部２２と、壁面部２２の内壁面の少なくとも二点を接続するように設けられる仕切壁部２３を有して構成される。なお、本体部材２０はアルミ押出成形品にて構成するほか、樹脂成形品、板金加工品、木材などで構成されることも考えられる。
【００３４】
仕切壁部２３は、外壁面２１の円弧の略中心となる位置を通過するように配置され、壁面部２２と仕切壁部２３によって囲まれた空間２６が形成される。これにより、本体部材２０が、図４の断面視において、略「Ｄ」の文字形状を左右反転させた形状をなすように構成されている。
【００３５】
なお、この空間２６は、後述する照明６０の電源コードなどを通すための管路として利用することができる。また、仕切壁部２３については、一つの壁面２３ｘを構成するものに限らず、複数の壁面を構成するものであってもよい。
【００３６】
図４の断面視において壁面部２２の壁面の両端は、仕切壁部２３の部位を越えて連続的に延設されており、一方の延設部は、ケース部材３０の壁面部３２の壁面の一端を固定するためのケース部材固定部２４として構成される。
【００３７】
また、壁面部２２の壁面において、仕切壁部２３の部位を越えて連続的に延設されるもう一方の延設部は、開口部１１から奥まった箇所に配置される光が通過可能なカバー部５０の一端側を挿入するための縦溝部２５ａを有する透光性カバー固定部２５として構成される。
【００３８】
また、仕切壁部２３において空間２６と反対側の壁面には、照明６０が取付けられる。本実施形態では、仕切壁部２３の壁面に二条の突条部２３ａ，２３ｂを互いに離間して設けるとともに、突条部２３ａ，２３ｂの側面に縦溝２３ｃ，２３ｄを対向させて形成される。
【００３９】
そして、この縦溝２３ｃ，２３ｄに照明６０のケーシング６３の突条部６３ｃ，６３ｄを差し込むことによって、仕切壁部２３に対する照明６０の位置決めが行われるようになっている。また、ボルト６４によって照明６０のケーシング６３が仕切壁部２３に固定されるようになっている。
【００４０】
本実施形態の照明６０は、ケーシング６３と透光性カバー６５で囲まれた空間内にＬＥＤ光源６６を配設して構成されるものであり、透光性カバー６５を透過するＬＥＤ光が照明６０から照射されるようになっている。なお、ＬＥＤ光源６６とするほか、蛍光灯や白熱電球を光源として用いることとしてもよい。
【００４１】
また、仕切壁部２３の壁面２３ｘに形設された突条部２３ａにおいて、ケース部材固定部２４側の側面には縦溝２３ｅが形成されており、この縦溝２３ｅにケース部材３０の当接面３３の先端部が挿入されるようになっている。
【００４２】
ケース部材３０は、アルミ押出成形品にて構成される長尺の部材であり、本実施形態では、断面視において円弧状の外壁面３１を構成する壁面部３２と、本体部材２０の仕切壁部２３の壁面２３ｘ（空間２６と反対側の壁面）に当接する当接面３３を有して構成される。なお、ケース部材３０はアルミ押出成形品にて構成するほか、樹脂成形品、板金加工品、などで構成され、光を減衰できるものであれば何でもよい。
【００４３】
ケース部材３０は、当接面３３が本体部材２０の仕切壁部２３に当接されるとともに、当接面３３の先端部が本体部材２０の縦溝２３ｅに挿入されることによって、本体部材２０に対して位置決めされる。
【００４４】
本実施形態のケース部材３０では、図４の断面視において、略「Ｃ」の文字形状を左右反転させた形状をなすように構成される。そして、ケース部材３０の内壁面３８、本体部材２０の仕切壁部２３と、カバー部５０によって囲まれる空間３５が形成される。この空間３５内に照明６０が配設される構成となっている。
【００４５】
ケース部材３０の壁面部３２には、本体部材２０のケース部材固定部２４の内側に当接される固定面部３４が形成されている。この固定面部３４は、壁面部３２に段差を形成することでケース部材固定部２４の内側に配置され、これにより、本体部材２０の外壁面２１と、ケース部材３０の外壁面３１において、一連の円弧状の外周面が構成されるようになっている。
【００４６】
ケース部材３０の固定面部３４は、ケース部材固定部２４の外側から差し込まれる固定具３６により本体部材２０に対して固定され、これにより、ケース部材３０が本体部材２０に対して固定される。
【００４７】
ケース部材３０において、固定面部３４と反対側の端部は、本体部材２０の外壁面２１の外方（外壁面２１の円弧形状において半径方向外側）に位置し、外壁面２１に対して対向する延長部３７として構成される。外壁面２１と延長部３７の間の空間は、光が通過する出口２７として機能することとなっている。
【００４８】
そして、この延長部３７を含め、本体部材２０の外壁面２１とケース部材３０の外壁面３１により、平面視において略真円の輪郭が形成され、照明器具１全体として円柱形状のポールが構成されるようになっている。
【００４９】
また、ケース部材３０において、延長部３７の先端部から奥まった位置には、カバー部５０の他端側を挿入するための縦溝部３９ａを有するカバー固定部３９が構成される。
【００５０】
カバー部５０は、ケース部材３０の縦溝部３９ａと本体部材２０の縦溝部２５ａに両端部がそれぞれ挿入されるとともに、延長部３７の外部から本体部材２０のケース部材固定部２４に対して挿し込まれるビス５１によって下端部が支えられた状態で設けられる。
【００５１】
カバー部５０の具体的な構成については特に限定されるものではないが、例えば、透明、或いは、半透明として透光性を有するアクリル樹脂からなる板材にて構成することが考えられる。
【００５２】
また、照明６０の透光性カバー６５は、ケース部材３０の内壁面３８に対向するように配置されており、内壁面３８に対して透光性カバー６５を透過した光が照射され、内壁面３８によって反射光が発生するようになっている。このように、内壁面３８にて反射光を発生させることにより、照明６０の光が減衰されることになり、内壁面３８が光減衰部として機能することになる。
【００５３】
本実施形態では、ケース部材３０がアルミ押出成形品で構成されるため、内壁面３８によって十分な反射光が生成されるようになっている。なお、この反射光を効率よく生成するために、例えば、シート状の別部材を内壁面３８に貼付することとしてもよい。
【００５４】
また、延長部３７と、本体部材２０の外壁面２１の間には隙間が確保されて光が通過する出口２７が形成されており、この出口２７の開放部分において、縦方向の一連の開口部１１が構成される。そして、この開口部１１よりも奥まった位置に配置されるカバー部５０から照射される光が、出口２７を通じ開口部１１から外方に照射される。
【００５５】
ここで、開口部１１から照射される光Ａは、照明６０から直接照射されるものではなく、ケース部材３０の内壁面３８に反射した反射光であるため、間接光として外方に照射される。
【００５６】
また、開口部１１から照射される光Ａによって、照明器具１の外壁面２１が照らされ、外壁面２１から反射する明かりによっても間接光が生じさせられる。
【００５７】
以上のようにして本発明を実施することができる。
即ち、図２乃至図４に示すごとく、地面等に立設される照明器具１であって、
柱状体２と、
柱状体２の内部に配置される光源（本実施形態ではＬＥＤ光源６６）と、
柱状体２内部の光源からの光を導く出口２７と、
柱状体内部の光源から照射される光を減衰させる光減衰部（内壁面３８）と、
を備える照明器具１とする。
【００５８】
これにより、出口２７から照射される光Ａは減衰された光であるため、暗闇において光Ａが照射されたとしても、直接光（反射せずに照射される光）と比較して眩しく感じられることを抑制できる。
【００５９】
また、好ましくは、光減衰部が柱状体内壁面（内壁面３８）であることとする。
【００６０】
これにより、光減衰部を内壁面３８で構成することができ、部品点数を削減することができる。
【００６１】
なお、上述した実施形態のように柱状体２の内壁面３８を光減衰部とするほか、出口２７の開口部１１と離間して対向する壁面を柱状体２と一体、或いは、別体で設けることとし、当該壁面により反射させて光Ａを減衰させることとしてもよい。
【００６２】
また、好ましくは、光の出口２７や開口部１１は、照明器具１の上端部から下端部に向けて形成されることとする。
【００６３】
これにより、照明器具１の略全高の範囲で、縦の光のラインを演出することができ、デザイン性に優れたライトアップを実現できる。また、照明器具１の足回り周辺付近も十分に照らすことができる。なお、仮に、従来のように、ポールの上端部に光源が一点で存在するため、ポールの足回り周辺付近が暗くなってしまい、例えば、ポールが通路に設置される場合には、足元を十分に照らすことができないことが懸念される。
【００６４】
また、柱状体２内部の光源（本実施形態ではＬＥＤ光源６６）から照射される光を減衰させる光減衰部は、出口２７に導かれる光Ａを反射させて柱状体２の外壁面２１に対して照射することとしている。
【００６５】
このように、光源の光で外壁面２１を照らすことで間接照明となるため、光を減衰させつつ、照明器具を浮かびあがらせるような幻想的な光を醸し出すことができる。
【００６６】
また、開口部１１から照射される光Ａによって、柱状体２の外壁面２１が照らされ、外壁面２１から反射する明かりによっても間接光が生じさせられる、こととしている。
【００６７】
これにより、暗闇において、柱状体２のシルエットを印象的にライトアップすることができる。
【００６８】
また、出口２７には光が通過可能なカバー部５０が設けられ、柱状体２の一部がカバー部５０よりも突出した位置に設けられる、こととしている。
【００６９】
具体的には、柱状体２には、外壁面２１との間に隙間を空けて対向する延長部３７が設けられ、
外壁面２１と延長部３７の間の隙間において出口２７が形成され、
出口２７において延長部３７の先端部３７ａ側に開口部１１が形成され、
出口２７には出口２７を塞ぐためのカバー部５０が設けられ、
延長部３７の先端部３７ａはカバー部５０よりも突出した位置に設けられる、こととしている。この場合、延長部３７が光減衰部として機能させることができる。
【００７０】
これにより、光通過可能なカバー部５０があるため、外部からの雨水の浸入を防止できるとともに、カバー部５０が出口２７の奥まった位置に配置されるため、カバー部５０は柱状体２の一部によって隠されることとなって、デザイン性に優れた外観を構成することができる。
【００７１】
特に、柱状体２がアルミ押出成形品などの金属材料で構成され、その金属表面が外観に現れる意匠である場合には、全体としてのソリッド感を高めることが可能となる。
【００７２】
また、柱状体２は、本体部材２０と、本体部材２０とともに連続した外周面を形成するように設けられるケース部材３０とを有して構成され、本体部材２０の外壁面２１と、ケース部材３０に設けた延長部３７によって、出口２７が形成されることとする。
【００７３】
これにより、アルミ押出成形品で柱状体２を構成する場合において、押し出し成形の製造工程を考慮した場合に、特に好ましい実施形態が実現される。
【産業上の利用可能性】
【００７４】
本発明は、住宅や建物施設の庭園、ウッドデッキ面、屋上及びベランダ等に立設される照明器具として、広く利用することができる。
【符号の説明】
【００７５】
１    照明器具
１１    開口部
２０    本体部材
２７    出口
３０    ケース部材
３７    延長部
５０    カバー部
６０    照明
６６    ＬＥＤ光源
Ａ      光
【図１】
2014135127.tif 000003
【図２】
2014135127.tif 000004
【図３】
2014135127.tif 000005
【図４】
2014135127.tif 000006